(57)【要約】【課題】  ユーザビリティの高い記録紙インクシート一体型のカセット及び小型のプリンタを提供する。【解決手段】  サーマルヘッドによりインクシートに塗布されたインクを記録紙に転写して印刷するプリンタに装着する記録紙一体型インクカセット１の筐体の記録紙を排出するための開口と巻き取り側インクシート収納部２１の間に供給側インクシート収納部２０を設ける。【選択図】  図１
2008036876.tif 000002
【特許請求の範囲】
【請求項１】
サーマルヘッドによりインクシートに塗布されたインクを記録紙に転写して記録する記録装置に装着可能なカセットにおいて、
記録紙を収納する記録紙収納部を形成する第１の筐体と、
前記第１の筐体との係合により、前記インクシートが巻きつけられた第１ボビンを収納するための第１インクシート収納部と、前記第１ボビンから引き出された前記インクシートを巻き取る第２ボビンを収納するための第２インクシート収納部とを形成する第２の筐体と、
前記第１の筐体の前記記録紙収納部の第１及び第２のインクシート収納部側の面に前記記録紙を排出するための開口部とを有し、
第２インクシート収納部と前記開口部の間に第１インクシート収納部が配置されていること特徴とするカセット。
【請求項２】
前記開口部の一部に記録紙を一枚づつ分離する為の爪部を有することを特徴とする請求項１に記載のカセット。
【請求項３】
前記第１インクシート収納部と前記第２インクシート収納部の中間であって、前記第１ボビンから引き出された前記インクシートと前記記録用紙収納部の中間に、カセット装着時に前記サーマルヘッドをよび用紙排出機構が進入可能なスペースを設けたことを特徴とする請求項１に記載のカセット。
【請求項４】
給紙加圧するため及び記録紙を装填するための第一の開口と、該第一の開口に対向する面に記録紙の排出を行う第二の開口とを備えた略四角形の枠体で構成される記録紙収納部と、
供給するインクシートを収納するインクシート供給部と、
該インクシート収納部からの前記インクシートを巻き取ったインクシートを収納するインクシート巻取り部とを備え、
前記インクシート巻き取り部は前記略四角形の一辺に沿って配置され、かつ前記第二の開口は前記一辺に対向する辺に配置され、前記インクシート供給部は前記第二の開口に沿うよう配置されルことを特徴とするカセット。
【請求項５】
前記第２の開口の一部に記録紙を一枚づつ分離する為の爪部を有することを特徴とする請求項４に記載のカセット。
【発明の詳細な説明】
【技術分野】
【０００１】
本発明は、サーマルヘッドによりインクシートに塗布されたインクを記録紙に転写して記録する記録装置および、記録装置に装着可能であるカセットに関するものである。
【背景技術】
【０００２】
従来、コンピュータの出力装置やデジタル映像の出力装置としてのプリンタ装置は、その記録方式に応じて、熱転写式プリンタ装置、インクジェットプリンタ装置、レーザープリンタ装置、ワイヤードットプリンタ装置などに分類できる。そのうち、熱転写式プリンタ装置は、インクシートおよび記録紙を用い、主走査方向に配列された複数個の発熱体を選択的に駆動して、インクシートと記録紙とを副走査方向に搬送することにより、記録紙にドットライン状に印画を行うものである。近年、入力側であるデジタルカメラ、デジタルビデオカメラ、スキャナ等の画像入力機器の進歩に伴い、熱転写式プリンタ装置に対する注目度が高くなっている。熱転写式プリンタ装置は、静止画を記録するデジタルカメラやデジタルビデオカメラなどの撮像装置によって撮像された画像情報を、コンピュータまたは記録媒体を介してプリント出力するのに好適なプリンタ装置である。
【０００３】
例えばインクジェットプリンタ装置などの方式のプリンタ装置では、ドットを形成するか否かの２値の選択しかないために、小さなドットを記録紙に形成しながら誤差拡散等の手法でみかけの解像度と階調性を得ようとする。それに対して、熱転写式プリンタ装置では、１つの画素に対して熱の値を容易に制御することが可能なため、１つの画素に対する階調性を多く取ることができる。そのため、インクジェットプリンタ装置等の他のプリンタ装置に比べて滑らかで高画質な画像を得ることができるという利点がある。また、熱転写式プリンタ装置は、サーマルヘッドの性能や記録紙材料の性能も向上したために、仕上がり品位でも銀塩写真に見劣りしない画像プリントを得ることが可能である。そのため、近年のデジタルカメラの進歩に歩調を合わせるように、特に自然画像用のプリンタとして注目されている。
【０００４】
さらに、撮像装置によって撮像された画像情報を、コンピュータまたは記録媒体を介することなく、熱転写式プリンタ装置と撮像装置を直接的に接続しプリント出力するシステムも登場している。こうしたシステムによれば、撮像装置からプリント設定を行うので、画像情報を簡単にプリント出力することが可能になり、ますます熱転写式プリンタ装置に対する注目度が高くなっている。
【０００５】
熱転写方式ではフルカラー印刷を行うためには、複数色のインクを繰り返し重ねて転写する必要があり、以下これを実現させるための一般的な構成を説明する。
【０００６】
従来の熱転写式プリンタの一般的な構成の第１例を図３２に示す。（ａ）の通り、記録紙カセット１０７に積載された記録紙は給紙ローラ１０８と分離手段１０９により最上層の記録紙だけが分離・給送されサーマルヘッド１０４とプラテンローラ１０５の間へ搬送される。印刷動作は、まず、記録紙Ｐの全長より少し長い外周をもつプラテンローラ１０５の周囲に記録紙Ｐを巻き付け、インクシート１０６と記録紙Ｐをサーマルヘッド１０４とプラテンローラ１０５とで圧接する。次に、サーマルヘッド１０４の発熱によりインクシート１０６上のインクを記録紙Ｐ上に熱転写させながら、プラテンローラ１０５を回転させて行う。（ｂ）の通り、１色目の印画を終えたあとに次色の印画を行うために、サーマルヘッド１０４の圧接を開放し、プラテンローラ１０５の回転を進めて印画開始位置まで記録紙Ｐを進め、１色目と同様の動作で２色目以降を印画する。このようにしてイエロー・マゼンタ・シアンの３色を重ねてフルカラー印刷を行う。
【０００７】
従来の熱転写式プリンタの一般的な構成の第２例を図３３に示す。（ａ）の通り、用紙カセット２０１に積載された記録紙Ｐは給紙ローラ２０２と分離手段２０３により最上層の記録紙だけが分離・給送されサーマルヘッド２０４とプラテンローラ２０５へ搬送される。印刷動作は、まず、インクシート２０６と記録紙Ｐをサーマルヘッド２０４とプラテンローラ２０５とで圧接する。次に、サーマルヘッド２０４の発熱によりインクシート２０６上のインクを記録紙Ｐ上に熱転写させながら、印画方向下流に設けた１対のキャプスタンローラ２０７とピンチローラ２０８で記録紙Ｐを搬送させて行う。（ｂ）の通り、１色目の印画を終えたあとに次色の印画を行う。そのため、サーマルヘッド２０４の圧接を開放し、キャプスタンローラ２０７とピンチローラ２０８を印刷動作時とは逆方向に回転させて印刷開始位置まで記録紙Ｐを戻し、１色目と同様の動作で２色目以降を印画する。このようにしてイエロー・マゼンタ・シアンの３色を重ねてフルカラー印刷を行う。
【０００８】
図３２の例でも図３３の例でも用紙カセット内の記録紙とインクシートは消耗品であり、使用に応じて、交換・補給する必要がある。ここでインクシートについてはインクシートの両端を２つのボビンに巻き付け２つのボビンとインクシートを枠体に収めた形態のカートリッジでユーザーに供給することが一般的であり、図３２の１１０と図３３の２１０はそのカートリッジの枠体を示している。カートリッジには図示１１０ａと２０１ａのような空隙部が存在し、カートリッジを挿入する際には本体に設けられたサーマルヘッド１０４・２０４がカートリッジの空隙部に収まるようにカートリッジが案内され所定の位置に装着される。
【０００９】
以上２つの方式が従来一般的である。第１例は記録紙Ｐの全長より少し長い外周をもつプラテンローラが必要となるため装置が大型化し、図３２には図示されていないがプラテンローラの周囲に記録紙を巻き付けて保持する機構が必要であるため装置が複雑化するというデメリットがある。しかし、第１色の印刷が終了したらそのすぐ後方に第２色の印刷開始部があるので第２例のように記録紙を戻す時間が不要となり印刷時間の高速化が図れるというメリットがある。逆に第２例は印刷時間が延びるというデメリットがあるが、装置の小型化・簡素化が図りやすいというメリットがある。
【００１０】
前述した熱転写式のプリンタ装置では良好なプリントを得るためにインクが転写しやすい表面を持った熱転写プリント専用紙を記録紙として使用する必要がある。そのため、記録紙５０枚分のインクシートが収納されたインクカートリッジと５０枚の記録紙をセットで販売されていた。ユーザーはセット販売された記録紙とインクカートリッジの梱包をあけて、インクカートリッジは本体へ、記録紙は用紙カセットへそれぞれ装填してプリンタ装置を使用しなければならないという、わずらわしさがあった。
【００１１】
熱転写プリンタの場合、図３４に示す通り大きさの記録紙に応じてそれぞれ異なるインクシートを用意した方がインクシートの無駄が少ない。よって、例えばＡ６サイズの記録紙とＡ６サイズ用のインクシートが収納されたインクカートリッジをセットで、Ａ７サイズの記録紙とＡ７サイズ用のインクシートが収納されたインクカートリッジをセットで販売し、ユーザーはそれぞれの用途に合わせて購入する。そして、Ａ６サイズのプリントをした後にＡ７サイズのプリント行うときには、Ａ６サイズの記録紙とＡ６サイズ用のインクカートリッジを取り出して変わりにＡ７サイズの記録紙とＡ７サイズ用のインクカートリッジを装填しなければならない。この時取り出したＡ６サイズの記録紙とＡ６サイズ用のインクカートリッジは後に使用する時のため保管する必要がある。インクカートリッジと記録紙が別々になっている上に記録紙やインクカートリッジはほこりや直射日光を嫌うので保管袋等に入れて保管しなければならないという、わずらわしさがあった。
【００１２】
これらのわずらわしさを解決する発明として特許文献１、特許文献２のようにインクシートと記録紙が一体型で収納されたカートリッジも発明されている。
【特許文献１】特開平２−８１６６０号公報
【特許文献２】特開２０００−１０８４４２号公報
【発明の開示】
【発明が解決しようとする課題】
【００１３】
しかしながら、特許文献１はインクカートリッジと用紙カセットを一体化しているものの、インクシートがカートリッジに収納されたままの状態では印刷動作を行うことができない構成であり。よって、印刷動作を行うためにはインクシートをカートリッジから取り出して印刷位置までローディングする機構が必要であり、その機構の分だけ装置が複雑化し信頼性が低下するという問題点がある。この特許文献１の問題点が改善されているものが特許文献２であり、この発明では一体型カートリッジを収納後、インクシートを印刷位置までローディングする必要が無く、収納したままの状態で印刷動作が行えるようになっている。そのため、インクシートと記録紙を別々にプリンタ装置に装着するわずらわしさや、異なる種類の記録紙を使用する際に取り外したインクシートと記録紙を別々に保管するわずらわしさをユーザーに感じさせない構成となっている。しかしながら写真印刷を第１の目的とする場合、使用する用紙はその保存性、耐久性または印画品質を確保するために所定の厚みを必要とする。そのため、印刷のための搬送時に極端に屈曲などすると印画面に傷または皺などが発生してしまう。また、記録紙の厚みが厚いときに、例えば爪分離方式などによりカセットから記録紙を分離させるような場合には、分離時に十分に記録紙をたわませる空間がないと分離の信頼性が低くなってしまう。特許文献２では用紙の搬送経路をカセットで形成しているが、用紙へのダメージを抑え、かつ搬送の信頼性を上げるために極端な屈曲が発生しないよう、やや大きな半径のＲでカセットの外形を形成している。しかし、この搬送経路を形成するためＲ形状の内側は無駄な空間となってしまっている。また、搬送経路の屈曲を滑らかにするためにはカセットの厚み方向もある程度以上必要となり、小型化には限界がある。結局、用紙のインクシートの収納に最低限必要な大きさ以上になってしまい、プリンタ本体の大型化も招いてしまう。
【００１４】
本発明は、これらの問題に対応できる、ユーザビリティの高い記録紙インクシート一体型のカセット及び小型のプリンタを提供するためものある。
【課題を解決するための手段】
【００１５】
このような課題を解決するため、本発明のカセットは次のような構成を備える。すなわち、
サーマルヘッドによりインクシートに塗布されたインクを記録紙に転写して記録する記録装置に装着可能なカセットにおいて、
記録紙を収納する記録紙収納部を形成する第１の筐体と、
第１の筐体との係合により、インクシートが巻きつけられた第１ボビンを収納するための第１インクシート収納部と、第１ボビンから引き出されたインクシートを巻き取る第２ボビンを収納するための第２インクシート収納部とを形成する第２の筐体と、
第１の筐体の記録紙収納部の第１及び第２のインクシート収納部側の面に記録紙を排出するための開口部とを有し、
第２インクシート収納部と開口部の間に第１インクシート収納部が配置されていること特徴とする。
【発明の効果】
【００１６】
記録紙と記録紙の用紙枚数に対応した量のインクシートを１つのカセットに収納することで、ユーザビリティーの高いカセットを提供することができる。
【００１７】
また、本発明では第１の筐体の第１及び第２のインクシート収納部側の面に開口部が設けられ、第２インクシート収納部と開口部の間に第１インクシート収納部が配置されている。この開口から記録紙を排出することで、印画時のインクシート走行方向の上流側に記録紙が排出されるので、記録紙を複雑に搬送させなくてもそのままサーマルヘッド側に搬送させるだけで、印刷が可能となる。また、インクシート収納部側の面にから記録紙が排出されるので、印画部の近くに記録紙が排出される。そのため、記録装置の小型化が可能となる。
【００１８】
したがって、ユーザビリティの高い記録紙インクシート一体型のカセット及び小型のプリンタを提供することができる。
【発明を実施するための最良の形態】
【００１９】
（第１の実施例）
図１、図２により本発明における記録紙インクシート一体型カセットの構成を説明する。
【００２０】
図１において１は本発明による記録紙インクシート一体型カセットの全体図であり、１０は主に記録紙を積載収納する上ケースである。１１は上ケース１０との間でインクリシートの収納部を形成する下ケースであり、２０は印刷に使用する前のインクシートを収納する供給側収納部で、２１は印刷に使用した後のインクシートを収納する巻き取り側収納部である。
【００２１】
３０は記録紙をカセットから一枚ずつ取り出すための排出口であり、供給側収納部２０に隣接しかつ記録紙収納部の端部に記録紙の長手方向全域にかけて略四角形の開口を形成している。排出口３０の角には記録紙を一枚ずつ分離するための分離爪３１、３２を供えている。上ケース１０と下ケース１１はプラスチックを射出成型したものであり、それによりコストダウンを図っている。
【００２２】
図２はインクシートの巻き取り軸の軸方向に直行する方向の断面図である。
【００２３】
図２において１２は帯状のインクシートであり、第１ボビン１２ａに巻きつけられて、先端は巻き取り用の第２ボビン１２ｂに接着などにより取り付けられている。インクシート１２は上ケース１０と下ケース１１との間に形成されたインクシート収納部に収納されており、第１ボビン１２ａは供給側収納部２０に、第２ボビン１２ｂは巻き取り側収納部２１にそれぞれ収納されている。第１ボビンは、上ケース及び下ケースにより形成されるカセット筐体の供給側収納部を形成する２つの端面により支持され、第２ボビンは、カセット筐体の巻き取り側収納部を形成する２つの端面により支持される。
【００２４】
１３は記録紙であり、上ケース１０の記録紙収納部２２にインクシート１２が印刷可能な枚数と同一枚数が重ねられ収納される。例えば、インクシート１２が５０画面分巻き取られていれば、記録紙１３も５０枚収納されている。すなわち、本発明における記録紙インクシートシート一体型カセットは例えば５０画面分の印刷が終われば、記録紙とインクシートシートが同時に使用済みとなり、どちらか一方のみが先に使い終わることはなない。そのためいずれか一方のみを補充、または交換することはなく、使い終わればユーザーはカセットごと交換すればよく、交換の手間が省けるものである。
【００２５】
２００は記録紙収納部２２へ記録紙１３と保護シートを組み込む際の上面開口であり、カセット１をプリンタに装填し、印刷動作を行う際にはこの上面開口２００から記録紙１３を給紙ローラ４８の方向に加圧を行うための開口である。
【００２６】
１４は記録紙１３を汚れ、傷などから防ぐための保護シートであり、外形は記録紙１３とほぼ同一の外形寸法をしており、記録紙１３の最上部に重ねた状態で記録紙収納部２２収納されている。図２に示すようにインクシート１２と記録紙１３の間に空間３３があり、これは本カセットがプリンタに装填されたときに後述するヘッドユニットが位置する空間である。また、上ケース１０の供給側収納部２０と巻き取り側収納部２１の中間には開口３４が設けられている。開口３４は記録紙収納部２２の長手方向のほぼ全域に渡っており、また図１に示すよう上ケース１０の側面の側面開口３４ａと繋がっている。
【００２７】
図１において３５はインクシート供給側収納部２０を形成する筐体のカセット挿入方向側の端面、すなわち、カセット筐体の第１のボビンを支持するための支持面であって、カセット挿入方向側の面に設けられた第１嵌合穴である。また、３６は同じく巻き取り側収納部２１を形成する筐体のカセット挿入方向側の端面、すなわち、カセット筐体の第２のボビンを支持するための支持面であって、カセット挿入方向側の面に設けられた第２嵌合穴である。これら嵌合穴３５、３６はカセット１がプリンタに装填されたときにプリンタ本体側の嵌合軸と嵌合させることで、インクシートの巻き取り軸近傍の上カバー及び下カバーの変形を防止して、インクシートの走行、巻き取りの安定化を図るためのものである。
【００２８】
３７はカセットの種類により形状が異なるカセット判別突起である。カセット判別突起３７は記録紙のサイズ、あるいはインクシートのタイプが異なるとそれに応じて突起形状を異ならせ、プリンタ本体がこれを判別してそれらの記録紙、あるいはインクシートのタイプに応じた記録紙の搬送、印刷の制御を行うためのものである。
【００２９】
図１５と図１６にてカセットの種類について説明する。図１５、図１６は記録紙のサイズが異なる３種類のカセットを示したものであり、それぞれ図（ａ）、図（ｂ）、図（ｃ）は順にポストサイズ、Ｌサイズ、カードサイズのカセットを示している。図１６は排出口３０側から見て、供給側収納部での断面図である。図１５、１６に示すように、インクシート巻き取り軸と直行する方向では、上ケース１０の記録紙収納部２２および、下ケース１１が形成するインクシート収納部は、同じ寸法となっている。また、記録紙のサイズに応じて、記録紙収納部２２の寸法はインクシート巻き取り軸方向で異なる。しかし、インクシート収納部の巻き取り軸方向の寸法は、記録紙のサイズにかかわらず同じ寸法としている。さらに、図１６に示すようにインクシート１２の幅は各記録紙サイズで異なっているが、インクシート巻き取る軸の長さもインクシート収納部と同様に記録紙のサイズにかかわらず同じに設定してある。また、前述した嵌合穴３５、３６はインクシート収納部の端面に設置されており、またカセット判別突起もインクシート収納部端面に設置されている。
【００３０】
次に図３、図４、図５と図６により、本記録紙インクシート一体型カセット１の組み立て方法について順に説明する。まず図３示すよう上ケース１０の記録紙収納部２２を下にした状態でインクシート１２の第１ボビン１２ａと第２ボビン１２ｂをそれぞれ、上ケース１０の半円形状の切り込み１０ｂとＵの字の切り込み１０ｃに落とし込む。その上から下ケース１１を上ケース１０に対し組み込み、上ケース１０の爪１０ａは下ケース１１の穴１１ｂに係合し、下ケース１１の爪１１ａが上ケース１０の穴１０ｄに係合することで、上ケース１０と下ケース１１が係合することとなる。図では見えないが図後方においても同様な爪と穴が配置されており、下ケース１１の主要な部分は上ケース１０に対し固定されることになる。さらに本発明の記録紙インクシート一体カセットでは上ケース１０に設けられた溶着軸８０と下ケース１１に設けられた溶着穴８１を熱溶着により結合している。ここでは上カバーと下カバーを熱溶着により結合させるが、超音波により溶着してもよい。また、確実に固定して結合されればよいのでビス止めにより上カバー１０と下カバー１１を結合させてもよい。
【００３１】
詳細を図４（ａ）（ｂ）にて説明する。まず図４（ａ）は図３に示したインクシート１２と、下ケース１１が上ケース１０に組みつけられた状態を示しており、その状態で上ケース１０の溶着軸８０は下ケース１１の溶着穴８１に貫通している。この状態で溶着軸８０の先端を溶着工具の端子８２を溶着軸８０先端へ所定の荷重をかけながら押し付け変形させる。すると、図４（ｂ）に示す８０ａのよう溶着軸８０の外径は溶着穴８１より大きくなり、かつ下ケース１１に対し図上方から密着することで、確実に固定して結合されることになる。図４溶着工具の端子８２の先端形状は球Ｒの凹形状になっているため、溶着軸８０の変形後の形状８０ａは球Ｒ形状となっているが、端子８２先端が平面であれば溶着軸８０は平面状に変形させられ、これにおいても同様の効果を得ることは出きる。また、端子８２はヒーターを備えたもの、あるいは超音波の振動により溶着軸８０を振動させ熱を発生させるものでもどちらでもよく、このとき溶着軸８０の先端は円錐状になっているため、いずれの場合でも円錐状の先端から変形を起こしやすくなっている。
【００３２】
図５により記録紙１３と保護シート１４の組み込みについて説明する。インクシート１２、下ケース１１を上ケース１０に対し組み付け完了後、記録紙１３を５０枚と保護シート１４を１枚重ねた状態で上ケース１０に対し上面開口２００からコーナー部２箇所の押さえ部１０ｅの裏側へ斜め方向から挿入する。この際、記録紙１３は排出口３０のコーナー部に設けられた２つの分離爪３１、３２により排出口３０から脱落することはない。記録紙、および保護シート１４が上ケース１０に装填された後、押さえ部材１５、１６が上ケース１０の残り２箇所のコーナー部に取り付けられることで記録紙１３の４箇所のコーナー部を保持し記録紙収納部２３内から脱落しないよう収納される。押さえ部材１５、１６も樹脂で形成されており、それぞれ樹脂の弾性変形を利用した爪により上ケース１０へ取り付けられる。以上説明したように本発明による記録紙インクシート一体型カセットは主に上ケース１０と下ケース１１の２つの部品で記録紙とインクシートを収納し、多くの部品を必要とせず小型化も図れるものである。
【００３３】
次に図７により本発明の記録紙インクシート一体型カセットを使用するプリンタについて説明する。図７において４０はプリンタ本体であり、側面のドア４１が開いた状態を示しており、カセット挿入口４２が露出している。カセット挿入口４２はカセット１の断面形状とほぼ同じ形状でかつ一回り大きい開口となっている。カセット挿入口４２内にはヘッドユニット４５の端部が見えている。カセット挿入口４２へカセット１を挿入した状態を示したのが図８である。図８に示すようにカセット１がプリンタ本体へ挿入されるとカセット１の開口１７からヘッドユニット４５先端がわずかに露出し、ヘッドユニット４５先端に有る軸４６はカセット１より所定量突出した状態となる。この状態でドア４１を閉じるとドア４１の内面に設けられた係合穴４１ａが軸４６に嵌合しヘッドユニット４５の先端位置が規制されることになり、プリンタを使用可能な状態になる。
【００３４】
図９は本発明による記録紙インクリボン一体型カセットを使用するプリンタのサーマルヘッドユニット４５である。
【００３５】
４７はサーマルヘッドであり、本体内の印刷制御基板と電気的に接続されている。４８は給紙ローラであり、シャフト４８ａの両端はヘッドユニット４５上で回転可能に軸支されている。シャフト４８ａの一端にはギヤ４９がシャフト４８ａと一体的に回転するよう取り付けられ、図示せぬ連結ギヤにより給紙ローラ４８を回転駆動する。
【００３６】
５０はカセット内の記録紙を図において右方向へ付勢するための付勢部材である。付勢部材５０は、先端部５０ａがシャフト４８ａに嵌合し、もう一端はヘッドフレーム５５に固定されたレール５１にカセットの装填方向にスライド可能に保持され、スプリング５２によりカセットカセット挿入の逆方向へ付勢されている。
【００３７】
５３はカセット内の記録紙の有無を検知するためのフォトレフレクタであり、ホルダ５４によりヘッドユニット４５へ取り付けられている。図１０にフォトレフレクタ５３の取り付け状態の断面図を示す。図１０に示すよう、フォトレフレクタ５３の投光、受光部は上向きにヘッドユニット４５に取り付けられ、その上からホルダ５４を被せることで固定されている。
【００３８】
５６と５７はカセット１がプリンタ本体内に装填されたときにカセット１の変形を防止するための第１嵌合軸と第２嵌合軸である。これらはカセット１が装填されるとカセット１に設けられた第１決め穴３５と第２嵌合穴３６に嵌合し、カセット１のプリンタ本体内で位置規制をするものである。
【００３９】
５８はカセットの種類を判別するためのカセット判別スイッチであり、カセット１がプリンタ本体に装填されるとカセット１に設けられた突起形状によりカセットの種類を判別するものである。
【００４０】
５９はカセット１がプリンタ本体に装填されたときにカセット１の第２ボビン１２ｂに係合し、印刷時にインクシートシート１２を巻き上げ駆動する巻き上げ軸である。巻き上げ軸５９はギヤ５９ａ、５９ｂに連結し、印刷動作時に所定速度で回転するよう制御されている。６０はインクシートシート１２が巻き上げられる際に回転する従動軸で、たとえば回転動作を検知し確実にインクシート１２が供給されているかのチェックをするためのものである。
【００４１】
以上説明したヘッドユニット４５はプリンタ４０の本体内に設置されており、そのヘッドユニット４５に対してカセット１が装填されていく状態を図１１、図１２、図１３で説明する。カセット１は、図１１の矢印の方向でプリンタ４０に挿入し、装填されていく。そのときヘッドユニット４５は図２で示したインクシート供給側収納部とインクシート巻き取り側収納部との間で露出しているインクシート１２と記録紙１３との間の空間３３に入っていくことになる。
【００４２】
図１２はその様子をカセット１の裏側から見た図である。図１２に示すよう、ヘッドユニット４５はインクシート１２より上側で記録紙１３より下側の空間３３に入っている。図１３ではカセット１が完全に装填された状態を示しており、図１４はその詳細を示した断面図である。図１３、図１４において第１嵌合軸５６は第１嵌合穴３５に、第２嵌合軸５７は第２嵌合穴３６に嵌合する。また巻き上げ軸５９は第２ボビン１２ｂ、従動軸６０は第１ボビン１２ａに嵌合する。さらに、カセット判別スイッチ５８はカセット判別突起３７により押圧されている。
【００４３】
嵌合穴３５、３６、および、カセット判別突起３７は、記録紙のサイズにかかわらず同じ寸法であるインクシート収納部の端面に設けられている。そのため、プリンタ本体側の嵌合軸５６、５７およびカセット判別スイッチを用紙サイズにあわせて複数設ける必要が無い。また、第１ボビン１２ａ、第２ボビン１２ｂの全長も同じであるため巻き取り軸５９、従動軸６０は全長、位置などを可変にする必要がない。このように、複数の記録紙サイズを有するカセット、またはインクシート１２のサイズを複数有するカセットであってもインクシート収納部の外形寸法を同じにし、嵌合穴３５、３６、カセット判別突起３７をインクシート収納部に配置する。さらに第１ボビン１２ａ、第２ボビン１２ｂの全長も共通にすることで、プリンタ本体内部の構成を簡略化することができる。
【００４４】
図１７はカセット１がプリンタ４０に完全に装填された状態を示しており、わかり易いよう記録紙１３と保護シートを不図示にしてある。図１７に示すよう上ケース１０の開口３４内に給紙ローラ４８、フォトレフレクタ５３が位置している。また付勢部材５０は側面開口３４ａの内側に位置している。
【００４５】
図１８は付勢部材５０とカセット１、記録紙１３の位置の位置関係を示した断面図である。図１８において付勢部材５０は前述したようにスプリング５２により図右方向に付勢されており、当接面５０ａは側面開口３４ａから上ケース１０の内部に突出し記録紙１３の端面に当接している。そのとき、上ケース１０の外側側面とは隙間が設けてあるため確実に記録紙１３を図右方向、すなわち、カセット挿入方向と逆の方向へ片寄せしている。付勢部材５０の設けられた斜面５０ｂは、記録紙１３が加圧板７５により押圧されて図中の矢印の方向に移動していくときに、記録紙が引っかかりなく当接面５０ａへ案内するものである。このようにして当接面５０ａ側の記録紙１３が一枚ずつ給紙されていくことになる。
【００４６】
次に付勢部材５０の作用について説明する。
【００４７】
図２０（ａ）（ｂ）は付勢部材５０を採用しない場合のカセットの例を分離爪と記録紙の関係をわかり易くするために簡略化した図である。図２０（ａ）において１００は上ケースであり、１０１、１０２はそれぞれ分離爪である。１１０は記録紙であり、排出方向の先端コーナー部が分離爪に掛かっている。一般に記録紙は裁断加工する際の誤差が生じるため縦横それぞれの寸法には公差を持っている。上ケース１００の記録紙収納部の内側寸法Ｌ１は記録紙の長手方向寸法の公差上限（Ｌｍａｘ）のものに対しても隙間を持った寸法にする必要がある。そのため、長手方向寸法Ｌが公差下限のものの場合は隙間が大きくなってしまう。図２０（ｂ）は長手方向寸法Ｌが寸法公差下限（Ｌｍｉｎ）の記録紙でかつその記録紙がカセット１００内で向かって右側へ片寄っている状態を示している。この場合、記録紙１０３の右側の分離爪１０１への掛かり量Ｘ１と、左側の分離爪１０２への係り量Ｘ２は大きく異なってしまう。たとえば図２０（ｂ）に示すように長手方向寸法Ｌの公差が±０．５ｍｍのとき、寸法公差上限（Ｌｍａｘ）の記録紙と寸法公差上限（Ｌｍｉｎ）の記録紙の寸法差は１．０ｍｍである。さらにカセット１００の内側寸法の余裕を片側０．１ｍｍずつとした場合、寸法公差下限（Ｌｍｉｎ）の記録紙では隙間は１．２ｍｍ生じることになる。よって分離爪１０１、１０２への掛かり量Ｘ１，Ｘ２の差が１．２ｍｍ生じることになる。
【００４８】
分離爪への掛かり量がこの差を無視できる程度まで大きければ問題ないが、写真を印刷するような大きさ、紙質の記録紙を用いる場合、分離駆動の負荷、記録紙へのダメージを考えるとそれほど大きな分離爪を用いることはできない。よって、上記１．２ｍｍの差を無視できる大きさの分離爪を用いることは困難であり、記録紙が爪分動作を行う際に分離タイミングの差が大きくなり、最悪の場合分離出来ないなどの不良を引き起こすことになる。
【００４９】
以下図１９（ａ）（ｂ）（ｃ）にて本発明の付勢部材５０に適応したカセット１について説明する。これについてもわかり易くするために簡略化した図である。図１９（ａ）（ｂ）（ｃ）はカセット１の排出口３０側から見た図であり、記録紙１３と分離爪３１、３２の関係を示している。図１９において（ａ）は記録紙の長手方向寸法Ｌが公差の上限（Ｌｍａｘ）の場合を示している。このとき上ケース１０の記録紙収納部の長手方向寸法Ｌ１は記録紙１３長手方向寸法Ｌが公差の上限の場合にもゆとりを持って収納できるよう設定してある。本実施例では記録紙１３の長手方向寸法Ｌが公差上限のときに図に示すよう０．２ｍｍの隙間ができる寸法に設定してある。
【００５０】
（ｂ）は長手方向寸法Ｌが称呼寸法、（ｃ）は公差の下限（Ｌｍｉｎ）のときを示している。図１９はいずれも向かって左がカセット１の装填方向であり、向かって右がカセット１の取り出す方向である。よって片寄せのための付勢部材５０は向かって左から右方向へ記録紙１３を片寄せしており、上ケース１０の向かって右側の内壁の当接している。
【００５１】
分離爪３１、３２の大きさは（ｂ）に示すよう長手方向寸法Ｌが称呼寸法であるときに、分離爪３１、３２と記録紙１３の係り量Ｘ１、Ｘ２が等しくなるよう分離爪３２に対し、分離爪３１のほうが大きく設定されている。このように分離爪３１、３２の大きさを設定すると、記録紙１３は片寄せ用付勢部材５０により分離爪３２方向へ片寄せされているため、長手方向寸法Ｌが公差内でばらついたときの係り量Ｘ１、Ｘ２の差は長手方向寸法Ｌの公差以下となる。
【００５２】
たとえば、図１９（ａ）に示すよう記録紙の公差上限（Ｌｍａｘ）のときの分離爪３２への掛かり量Ｘ１に対し、分離爪３１への掛かり量Ｘ２ｍａｘは記録紙１３の長手方向寸法Ｌの公差分だけ大きくなる。たとえば、長手方向寸法公差が±０．５ｍｍであるならば、掛かり量Ｘ２ｍａｘは係り量Ｘ１より０．５ｍｍだけ大きくなる。
【００５３】
一方、公差下限（Ｌｍｉｎ）のときは分離爪３２への掛かり量Ｘ１に対し、分離爪３１への掛かり量Ｘ２ｍｉｎは記録紙１３の長手方向寸法Ｌの公差分だけ小さくなり、掛かり量Ｘ２ｍｉｎは係り量Ｘ１より０．５ｍｍだけ小さくなる。
【００５４】
よって、片寄せ用付勢部材５０を採用しない場合の分離爪への掛かり量の差が左右で１．２ｍ生じたのに対し、本発明による付勢部材５０に適応したカセット１の場合では記録紙の寸法公差分０．５ｍｍに抑えることが出来る。左右の分離爪の記録紙の掛かり量の差を最小限に抑えることが出来、記録紙が爪分離を行う際に分離タイミングの差を低減し、分離出来ないなどの不良の発生を抑えることが出来る。
【００５５】
次に図２１〜２７を用いてプリンタ４０の動作を説明する。図２１はカセット１プリンタ４０に装填された印刷前の待機位置を示している。７５は加圧板であり、給紙を行う際に記録紙１３を給紙ローラ４８側へ押圧するものである。図２１の状態は待機位置であるため、加圧板７５は記録紙１３から離間した位置にある。この状態から加圧板７５が図下方向へ移動し、上面開口２００から記録紙１３へ所定圧力を持って押圧される。給紙ローラ４８が反時計方向へ回転すると給紙ローラ４８に接している記録紙１３が一枚のみ図左方向へ移動していき、爪分離が行われ、排出口３０より記録紙１３が排出される。
【００５６】
図２２は排出された記録紙１３がカセット１から所定量送り出された状態を示している。
【００５７】
図に示すように記録紙１３はインクシート１２の第１収納部２０に沿うようたわみ、排出口３０より出ている。記録紙１３は、熱転写用の写真用紙であり、極端に屈曲させると印画面に傷、皺などが発生してしまうが、本発明のプリンタでは図に示すようにインクシート供給側収納部の隣の、排出口３０の下側の空間Ｄで、緩やかにたわむことが出来る。また、給紙ローラ４８は、記録紙１３の略中央付近を駆動できるため、記録紙１３にたわみが出来る長さが十分確保できるため、分離の信頼性が向上し、また記録紙１３が極端な屈曲を起こすことがなく記録紙１３へのダメージを最小限に抑えることが出来る。これはインクシートの巻き取り側収納部２１を記録紙収納部２２端に沿わせて配置したことから、前記空間Ｄを確保することが可能になっている。
【００５８】
更に、給紙ローラ４８をヘッドユニット４５に設置しているため装置の小型化が達成され、対向する側に記録紙１３を装填及び加圧するための上面開口２００を設けているため、効率よく加圧が可能となっている。
【００５９】
記録紙１３が所定量送りだされた後、図２３に示すよう記録紙１３はローラ板６１により第１ローラ６２へ押し付けられ、第１ローラ６２の回転により更にカセット１より引き抜かれていく。図２４は記録紙１３がカセット１より完全に引き抜かれ、所定量送られた状態を示している。この状態から記録紙１３を記録紙１３の面に垂直方向の軸を中心に回転させる。図２５は回転途中の状態を示している。記録紙１３の回転駆動は２つ有る第１ローラを双方逆回転刺さることで行う。第１ローラ６２ａを記録紙１３をプリンタ４０内へ引き込む方向、第１ローラ６２ｂをプリンタ４０外へ送り出す方向へ回転させる。図２６は回転が完了した状態を示している。この状態から第１ローラ６２ａ、６２ｂにより記録紙１３をプリンタ４０内へ送り込み印刷動作へ移行する。
【００６０】
以上の記録紙１３の搬送に用いたローラ板６１、ローラ６１ａ、６２ｂ、ローラ板６１もインクシート巻き取り側収納部２１を記録紙収納部２２の図向かって右側に沿わせて配置した空間Ｄに好適に配置することでプリンタ４０の小型化が可能になっている。また、排出口３０は印刷時搬送経路の上流側であるインクシート供給側収納部２１の外側に設けられているため、記録紙１３はスムーズに印刷搬送の移行が出来、無駄な搬送が行われることはない。
【００６１】
本発明のカセットには、上ケースのインクシート収納部２０，２１側の面に排出口３０が設けられ、インクシート巻き取り側収納部２１と開口部の間にインクシート供給側収納部２０が配置されている。この排出口３０から記録紙１３を排出することで、インクシート走行方向、（印刷時の用紙、インクシート判双方向）の上流側に記録紙１３が排出される。したがって、記録紙１３を複雑に搬送させなくてもそのままサーマルヘッド４７側に搬送させるだけで、印刷が可能となる。また、インクシート収納部側２０，２１側の面にから記録紙１３が排出されるので、サーマルヘッドや印画部の近くに記録紙１３が排出される。そのため、複雑な用紙搬送機構が必要ないのでプリンタの小型化が可能となる。
【００６２】
また、記録紙を爪分離方式で一枚ずつ分離させるには、記録紙を十分に撓ませる必要があるので、大きな排出口３０が必要となる。したがって、本実施例では、インクシート巻取り側収納部は、略四角形の記録紙収納部の一辺に沿って配置され、それに対向する辺に排出口が配置されている。そして、排出口３０とインクシート供給側収納部は沿うよう配置され、記録紙の分離時に十分撓ませることができるように、できるだけ大きな排出口を確保している。また、排出口を大きくすることで、記録紙をカセットから完全に排出させるための搬送経路を短くすることができる。
【００６３】
図２７は印刷状態を示している。印刷動作はインクシート１２と記録紙１３をサーマルヘッド４５とプラテンローラ６４とで圧接し、サーマルヘッド４５の発熱によりインクシート１２上のインクを記録紙１３上に熱転写させる。そのとき、印画方向下流に設けた１対のキャプスタンローラ６５とピンチローラ６６で記録紙１３を搬送させる。一色目の印刷が終わるとサーマルヘッド４５をインクシート１２から退避させる方向に移動させて圧接を開放し、キャプスタンローラ６５とピンチローラ６６を印刷動作時とは逆方向に回転させて印刷開始位置まで記録紙１３を戻す。１色目と同様の動作で２色目以降を印画する。このようにしてイエロー・マゼンタ・シアンの３色を重ねてフルカラー印刷を行う。
【００６４】
印刷が完了すると記録紙１３はプリンタ４０の搬送経路下流側の外部へ排出される。ユーザーが印刷操作を行えば以上の動作を繰り返し行い、カセット１内に収納された記録紙１３とインクシート１２がなくなるまで印刷を行うことが可能である。記録紙１３とインクシート１２は同一印画枚数を収納しているため、どちらか一方が先になくなることは基本的にはない。本発明のプリンタでは記録紙１３がなくなったことを検知し印刷動作を行わないようにしてある。
【００６５】
次に記録紙１３の有無の検知方法について図２８、図２９で説明する。図２８（ｂ）は記録１３がまだ十分ある状態を示している。図２８（ｂ）に示すようフォトレフレクタ５３は記録紙１３に略対向した向きに設置されている。印刷操作が行われると、加圧板７５が記録紙１３へ押圧されることで記録紙１３はフォトレフレクタ５３側へ押し付けられることになる。フォトレフレクタ５３から投光された赤外光が記録紙１３の裏面で反射し、その反射光をフォトフレクタ５３が検知する。プリンタは、反射光を検知すると記録紙があると判断する。記録紙１３は一般的に白色であるため比較的反射率が高く、記録紙検知が容易である。また、加圧板７５が押圧位置にあるときにのみ検知動作を行うため、記録紙とフォトフレクタの距離が狭まるため、信頼性の高い検知を行うことが出来る。
【００６６】
図２８（ａ）は記録紙１３が無く、保護シート１４のみが残っている状態で印刷操作が行われ、加圧板７５が押圧位置にあり記録紙１３の有無を検知している状態を示している。図２９に示すよう保護シート１４のフォトレフレクタ５３に対向する部分には赤外光の反射率が低くなるインク、たとえば黒色の印刷１４ａが施されており、フォトレフレクタ５３は反射光を検知できないことで記録紙１３が無いことを判定する。この実施例では低反射率インクの印刷としたが、印刷の代わりに、フォトフレクタ５３と対向する位置に穴を明けても同様に反射光を検知することが出来ないため同様の目的を達成することが出来る。
【００６７】
次に印刷時のインクシート１２の走行について説明する。図３０は印刷時のインクシート１２の走行経路をプリンタ４０の本体側から見た図である。ここで走行経路とは、第１ボビン１２ａに巻かれたインクシート１２が、第２ボビン１２ｂに巻き取られるまでに走行する経路である。この走行経路は、インクシートの走行を案内するために上ケース１０及び下ケース１１に設けられたガイド部７０、７２、７３、または、剥離板７１などによって形成される。第１ボビン１２ａに巻かれたインクシート１２はまず上ケースの第１ガイド７０でサーマルヘッド４７方向へターンする。サーマルヘッド４７で印刷された後、剥離板７１により記録紙１３から引き剥がされその後、下ケース１１の第２ガイド７２、第三ガイド７３により更にターンさせられ第２ボビン１２ｂに巻き取られていく。印刷中インクシート１２には所定のテンションを持っている必要があるため、第１ボビン１２ａにはフリクションスプリングなどで所定トルクが掛かるようになっている。また、記録紙１３から剥離板７１により引き剥がす際にもテンションが掛かる。よって上ケース１０には矢印ｄの方向へ、下ケース１１には矢印ｅの方向へ荷重が掛かることになる。それぞれの荷重は第１ボビン１２ａ、第２ボビン１２ｂを中心としたモーメントとして上ケース１０、下ケース１１に対してねじり荷重が加わることになる。上ケース１０、及び下ケース１１は前述したようにプラスチックの射出成形品であり、さらに上ケース１０には記録紙１３を排出する排出口１０と給紙ローラ４８、フォトレフレクタ５３のための開口３４を備えている。そのため開口近傍に設けられた供給側収納部２０の周辺は特に剛性が低下し、変形を起こしやすい。また、巻き取り側収納部２１周辺においても下ケース１１の第２ガイド７２、第三ガイド７３は上記テンションと、巻き取る際のトルクにより大きな荷重が掛かることになる。図３０のＡ部詳細図を図３１に示す。図に示すように第２ガイド７２、第三ガイド７３には矢印ｇ、ｆの荷重が掛かり第２ガイド７２、第三ガイド７３周辺は下ケースの７４周辺から矢印ｈ方向へ折れ曲がるよう作用する。このように第１ボビンと第２ボビンの間でインクシートに接するガイド部分には大きな荷重がかかり、変形しやすくなってしまう。
【００６８】
上ケース１０、下ケース１１が変形を起こすとインクシート１２の走行経路にゆがみが生じてしまい安定的な走行が出来なくなる。安定的な走行が出来ないと第２ボビン１２ｂで巻き取る際に蛇行を起こす、または皺が発生することになる。皺が印刷経路上まで広がってしまうと印刷画面に皺が現れてしまうというプリンタにとっては重要な問題にまで発展してしまう。そのためにインクリボン１２の走行経路の安定化を図ることは非常に重要なことである。
【００６９】
本発明のプリンタは、カセット１を挿入すると、インクシート供給側の第１インクシート収納部とインクシーと巻き取り側の第２インクシート収納部の間で露出しているインクシートと記録紙との間の空間にヘッドユニットが入っていくことになる。このヘッドユニットは、記録紙を排出駆動するための給紙ローラを具備している。サーマルヘッドと給紙ローラをヘッドユニットとしてこの空間に配置し、記録紙一体型インクカセットの記録紙収納部の第１インクシート収納部と第２インクシート収納部の間の面に記録紙排出駆動用の開口を設けている。そのため、サーマルヘッドと給紙ローラを配置する空間を別々に設けなくてよいので、記録装置の小型化が可能になる。
【００７０】
本発明のプリンタは、インクシート収納部外側でなく、インクシート供給側の第１インクシート収納部とインクシーと巻き取り側の第２インクシート収納部の間に給紙ローラを配置する。そのため、インクシート収納部外側に記録紙をたわませて給紙を行うのに十分な空間を得ることができる。
【００７１】
また、本発明のカセット１は前述したように、インクシート収納部２０、２１を形成する上カバー及び下カバーに、嵌合穴３５、３６を設けてある。そのため、カセット１がプリンタ４０に装填されるとそれぞれ第１嵌合軸５６、第２嵌合軸５７に嵌合することで前記のねじり荷重に対し変形することなくインクシート１２の走行経路の安定化を図ることが出来る。
【００７２】
この嵌合手段は、インクシート収納部２０、２１を形成する上カバー及び下カバーのどこに設けてもよいが、第１ボビンと第２ボビンの内側で、インクシートの搬送経路近傍に設けることで、さらに走行経路の安定化を図ることが出来る。
【００７３】
また、上記実施例では、インクシート供給側収納部２０を形成する下カバーに第１嵌合め穴、インクシート巻き取り側収納部２１を形成する上カバーに第２の嵌合穴を設けている。このように、上カバーと下カバーそれぞれに嵌合穴を設けることで、両方のカバーを安定させることができる。また、二つの開口に囲まれ、剛性が非常に低くなっているインクシート供給側収納部２０を形成する下カバーに嵌合穴を設けることで、剛性が低く変形を起こしやすくなっている部分を補強することができる。さらに、嵌合穴は、インクシート走行によるテンションやインクシート巻き取りによる荷重が掛かる位置の近傍に設けることで、荷重を低減させることができ、上ケースおよび下ケースに掛かるモーメントを減少させ、変形を防ぐことができるのでより効果的である。
【００７４】
また、上記実施例では、カセット１側に嵌合穴、プリンタ４０側に嵌合軸を設けたが、カセット側に嵌合軸。プリンタ側に嵌合穴を設けるようにしてもよい。
【００７５】
また、上ケース１０に設けられた軸３５と下ケース１１に設けられた穴３６を熱溶着により結合している。そのため、下ケース１１の第２ガイド７２、第三ガイド７３周辺が上ケース１０と一体感を増すことで更に剛性を上げることができ、更に走行経路の安定化を図ることが出来る。このとき、インクシートのテンションや巻き取りによるモーメントにより荷重を受けやすいインクシート搬送経路近傍に軸３５と穴３６を設けると、荷重により上ケースと下ケースが外れるのを防ぐことができる。上記実施例のように、上ケース１０と下ケース１１を樹脂材の弾性変形を利用した、爪と穴の係合などにより結合した場合は、荷重により結合が外れてしまうことも考えられるので、特に有効である。
【図面の簡単な説明】
【００７６】
【図１】本発明の記録紙インクシート一体型カセットの説明図
【図２】本発明の記録紙インクシート一体型カセットの断面図
【図３】本発明の記録紙インクシート一体型カセットの組み立方法の説明図
【図４】本発明の記録紙インクシート一体型カセットの組み立方法の説明図
【図５】本発明の記録紙インクシート一体型カセットの組み立方法の説明図
【図６】本発明の記録紙インクシート一体型カセットの組み立方法の説明図
【図７】本発明の記録紙インクシート一体型カセットを用いるプリンタの説明図
【図８】本発明の記録紙インクシート一体型カセットを用いるプリンタの説明図
【図９】本発明による記録紙インクリボン一体型カセットを使用するプリンタのサーマルヘッドユニット４５の説明図
【図１０】フォトレフレクタ５３の取り付け状態の断面図
【図１１】ヘッドユニット４５に対してカセット１が装填されていく状態を示した図
【図１２】ヘッドユニット４５に対してカセット１が装填されていく状態を示した図
【図１３】ヘッドユニット４５に対してカセット１がプリンタ１に装填された状態を示す図
【図１４】ヘッドユニット４５に対してカセット１がプリンタ１に装填された状態を示す図
【図１５】本発明による記録紙インクリボン一体型カセットの記録紙のサイズが異なる３種類のカセットを示した図
【図１６】本発明による記録紙インクリボン一体型カセットの記録紙のサイズが異なる３種類のカセットを示した図
【図１７】カセット１がプリンタ４０に装填された状態で記録紙１３と保護シートを不図示にした説明図。
【図１８】付勢部材５０とカセット１、記録紙１３の位置の位置関係を示した断面図
【図１９】付勢部材５０を採用適応した場合のカセットの例を分離爪と記録紙の関係を示した図
【図２０】付勢部材５０を採用しない場合のカセットの例を分離爪と記録紙の関係を示した図
【図２１】プリンタ４０の動作を説明した図
【図２２】プリンタ４０の動作を説明した図
【図２３】プリンタ４０の動作を説明した図
【図２４】プリンタ４０の動作を説明した図
【図２５】プリンタ４０の動作を説明した図
【図２６】プリンタ４０の動作を説明した図
【図２７】プリンタ４０の動作を説明した図
【図２８】記録紙１３の有無の検知方法について説明した図
【図２９】記録紙１３の有無の検知方法について説明した図
【図３０】インクシート１２の走行について説明した図
【図３１】インクシート１２の走行について説明した図
【図３２】従来の熱転写式プリンタの一般的な構成の第１例
【図３３】従来の熱転写式プリンタの一般的な構成の第２例
【図３４】インクシートの展開図
【符号の説明】
【００７７】
１０４  サーマルヘッド
１０５  プラテンローラ
１０６  インクシート
１０７  記録紙カセット
１０８  給紙ローラ
１０９  分離手段
１１０  カートリッジの枠体
２０１  用紙カセット
２０２  給紙ローラ
２０３  分離手段
２０４  サーマルヘッド
２０５  プラテンローラ
２０６  インクシート
２０７  キャプスタンローラ
２０８  ピンチローラ
２１０  カートリッジの枠体
１１０ｄ  空隙部
２１０ｄ  空隙部
１  カセット
１０  上ケース
１１  下ケース
１２  インクシート
１２ａ  第１ボビン
１２ｂ  第２ボビン
１３  記録紙
１４  保護シート
１５  押さえ部材
１６  押さえ部材
２０  インクシート供給側収納部
２１  インクシート巻き取り側収納部
２２  記録紙収納部
２３  記録紙収納部
３０  排出口
３１  分離爪
３２  分離爪
３３  空隙部
３４  開口
３４ａ  側面側開口
３５  第１嵌合穴
３６  第２嵌合穴
３７  カセット判別突起
４０  プリンタ
４１  側面のドア
４１ａ  系合穴
４２  カセット挿入口
４５  ヘッドユニット
４６  軸
４７  サーマルヘッド
４８  給紙ローラ
４８ａ  シャフト
４９  ギヤ
５０  付勢部材
５１  レール
５２  スプリング
５３  フォトレフレクタ
５４  ホルダ
５５  ヘッドフレーム
５６  第１嵌合軸
５７  第２嵌合軸
５８  カセット判別スイッチ
５９  巻き取り軸
６０  従動軸
６１  ローラ板
６２  第１ローラ
７０  第１ガイド
７１  剥離板
７２  第２ガイド
７３  第三ガイド
７５  加圧版
８０  溶着軸
８１  溶着穴
８２  溶着工具の端子
１００  上ケース
１０１  分離爪
１０２  分離爪
１０３  記録紙
１１０  記録紙
２００  開口
【図１】
2008036876.tif 000003
【図２】
2008036876.tif 000004
【図３】
2008036876.tif 000005
【図４】
2008036876.tif 000006
【図５】
2008036876.tif 000007
【図６】
2008036876.tif 000008
【図７】
2008036876.tif 000009
【図８】
2008036876.tif 000010
【図９】
2008036876.tif 000011
【図１０】
2008036876.tif 000012
【図１１】
2008036876.tif 000013
【図１２】
2008036876.tif 000014
【図１３】
2008036876.tif 000015
【図１４】
2008036876.tif 000016
【図１５】
2008036876.tif 000017
【図１６】
2008036876.tif 000018
【図１７】
2008036876.tif 000019
【図１８】
2008036876.tif 000020
【図１９】
2008036876.tif 000021
【図２０】
2008036876.tif 000022
【図２１】
2008036876.tif 000023
【図２２】
2008036876.tif 000024
【図２３】
2008036876.tif 000025
【図２４】
2008036876.tif 000026
【図２５】
2008036876.tif 000027
【図２６】
2008036876.tif 000028
【図２７】
2008036876.tif 000029
【図２８】
2008036876.tif 000030
【図２９】
2008036876.tif 000031
【図３０】
2008036876.tif 000032
【図３１】
2008036876.tif 000033
【図３２】
2008036876.tif 000034
【図３３】
2008036876.tif 000035
【図３４】
2008036876.tif 000036